(57)【要約】【課題】  異なる通信事業者システムに属する無線通信端末に対してであっても、また、発信先をオペレータが入力するといった手間を生じさせることなく、指定された条件を満足する無線通信端末に対して例えば緊急時などにおける同報送信を行うことができるようにする。【解決手段】  ＣＵＧサーバ２４は、緊急同報の申請を受けると、発信者により指定された位置条件に当てはまる無線通信端末１のデータの検索要求をプレゼンスサーバ３に発信し、その位置条件に当てはまる無線通信端末１のデータを取得する。この動作として、ＣＵＧサーバ２４は、プレゼンスサーバ３の現在状態テーブル３３ａを検索し、その位置情報を基に申請された緊急同報の発信先となる無線通信端末１のユーザ情報をピックアップすると、ピックアップしたユーザ情報を基にしてＣＵＧを形成し、申請された緊急同報用のＣＵＧとして登録する。【選択図】  図８
2005217707.tif 000002
【特許請求の範囲】
【請求項１】
現在状態の条件を満足する無線通信端末に対してデータの同報送信を行うように発信者端末からの申請を受ける申請受け付け工程と、
複数の通信制御システムに対して、各通信制御システムに属して前記現在状態の条件を満足する無線通信端末に前記発信者端末からのデータの同報送信を行う送信工程とを備えたことを特徴とする半二重無線通信方法。
【請求項２】
前記現在状態の条件は、各無線通信端末の位置条件であることを特徴とする請求項１記載の半二重無線通信方法。
【請求項３】
前記送信工程では、前記各通信制御システムに属して前記現在状態の条件を満足する無線通信端末によるＣＵＧを形成し、該ＣＵＧに登録された無線通信端末に対して発信者端末からのデータを同報送信することを特徴とする請求項１または２記載の半二重無線通信方法。
【請求項４】
前記送信工程では、予め登録されて通信可能な全ての通信制御システムから前記現在状態の条件を満足する無線通信端末を検索してＣＵＧを形成し、
該ＣＵＧに登録された無線通信端末に対する同報送信が、前記発信者端末と異なる通信制御システムに属する無線通信端末に対しても半二重無線通信における発言権を当該発信者端末にまとめることが可能な緊急同報であることを特徴とする請求項３記載の半二重無線通信方法。
【請求項５】
同報送信する前記データには、音声、画像を含むことを特徴とする請求項１から４の何れか１項に記載の半二重無線通信方法。
【請求項６】
コンピュータに、
現在状態の条件を満足する無線通信端末に対してデータの同報送信を行うように発信者端末からの申請を受ける申請受け付け処理と、
複数の通信制御システムに対して、各通信制御システムに属して前記現在状態の条件を満足する無線通信端末に前記発信者端末からのデータの同報送信を行う送信処理とを実行させることを特徴とする半二重無線通信プログラム。
【請求項７】
前記現在状態の条件は、各無線通信端末の位置条件であることを特徴とする請求項６記載の半二重無線通信プログラム。
【請求項８】
前記送信処理では、前記各通信制御システムに属して前記現在状態の条件を満足する無線通信端末によるＣＵＧを形成し、該ＣＵＧに登録された無線通信端末に対して発信者端末からのデータを同報送信することを特徴とする請求項６または７記載の半二重無線通信プログラム。
【請求項９】
前記送信処理では、予め登録されて通信可能な全ての通信制御システムから前記現在状態の条件を満足する無線通信端末を検索してＣＵＧを形成し、
該ＣＵＧに登録された無線通信端末に対する同報送信が、前記発信者端末と異なる通信制御システムに属する無線通信端末に対しても半二重無線通信における発言権を当該発信者端末にまとめることが可能な緊急同報であることを特徴とする請求項８記載の半二重無線通信プログラム。
【請求項１０】
同報送信する前記データには、音声、画像を含むことを特徴とする請求項６から９の何れか１項に記載の半二重無線通信プログラム。
【請求項１１】
１の通信制御システムにおける半二重無線通信の制御を行う無線通信制御手段と、
当該通信制御システムに属する無線通信端末の現在状態を取得する現在状態取得手段とを備えた通信制御システムが複数接続されてなる半二重無線通信システムであって、
前記無線通信制御手段は、現在状態の条件を満足する無線通信端末に対して同報送信を行う申請を受けると、前記複数の通信制御システムの各現在状態取得手段が保有する各無線通信端末の現在状態に基づいて、指定された現在状態の条件を満足する無線通信端末に対してデータの同報送信を行うように制御することを特徴とする半二重無線通信システム。
【請求項１２】
前記現在状態の条件は、無線通信端末の位置条件であり、
前記現在状態取得手段は、位置情報取得手段として当該位置情報取得手段を含む通信制御システムに属する各無線通信端末の位置条件を取得することを特徴とする請求項１１記載の半二重無線通信システム。
【請求項１３】
前記無線通信制御手段は、同報送信を行う前記申請を受けると、前記位置情報取得手段からの各無線通信端末の位置情報に基づいて指定された位置条件を満足する無線通信端末によるＣＵＧを形成し、該ＣＵＧに登録された無線通信端末に対して発信者端末からのデータを同報送信することを特徴とする請求項１２記載の半二重無線通信システム。
【請求項１４】
前記無線通信制御手段は、同報送信を行う前記申請を受けると、予め登録されて通信可能な全ての通信制御システムにおける位置情報取得手段に対して検索要求を発信し、該全ての通信制御システムに属する無線通信端末の中から指定された位置条件に当てはまる無線通信端末を検索してＣＵＧを形成し、
該ＣＵＧに登録された無線通信端末に対する同報送信が、前記発信者端末と異なる通信制御システムに属する無線通信端末に対しても半二重無線通信における発言権を当該発信者端末にまとめることが可能な緊急同報であることを特徴とする請求項１３記載の半二重無線通信システム。
【請求項１５】
同報送信する前記データには、音声、画像を含むことを特徴とする請求項１１から１４の何れか１項に記載の半二重無線通信システム。
【発明の詳細な説明】
【技術分野】
【０００１】
本発明は、半二重無線通信による無線通信端末間の無線通信を行うための半二重無線通信方法、プログラム、およびシステムに関する。
【背景技術】
【０００２】
従来より、半二重無線通信を行うための半二重無線通信システムがある。
こうした従来の半二重無線通信システムは、各通信事業者による通信事業者システム（通信制御システム）が接続されてなり、各通信事業者システムがＣＵＧ（Closed User Group）サーバを備える。
【０００３】
ユーザが半二重無線通信を行うに当たっては、まず、予めＰＣなどからメンバ登録を行い、その通信事業者システムに属する無線通信端末によるＣＵＧをＣＵＧサーバに登録する。こうしてＣＵＧが登録された後、その登録されたＣＵＧ内における半二重無線通信が可能となる。
【０００４】
こうした通信事業者システムの技術として、特許文献１のシステムは、オペレータからの操作入力をユーザインタフェース部が受け付け、その内容によりノード情報データベースがＣＵＧ番号をキーとして接続ノードの情報を保持し、そのＣＵＧ番号やメンバおよびノードの情報をもとに追加メンバが接続されるノードおよび当該ＣＵＧの全ノードのルーティングテーブルのエントリを設定するものである。
【特許文献１】特開２０００−２４４５０８号公報
【発明の開示】
【発明が解決しようとする課題】
【０００５】
しかしながら、上述した従来の半二重無線通信システムでは、各通信事業者システム毎にユーザインタフェースや各機能を実現するための操作手順が異なり、また、異なる通信事業者システム間では、プライバシー保護の観点からＣＵＧへのアクセスを許可しないことが一般的であり、異なる通信事業者システム間における無線通信はできないようになっている。
このため、例えば警察署や消防署などから緊急同報を行おうとしても、異なる通信事業者システムに対してまでは発信できない問題があった。
【０００６】
また、上述した特許文献１のものは、オペレータがルーティング情報を収集して設定する手間を軽減することができる好適なものであるが、オペレータがＣＵＧに追加するメンバ情報などをユーザインタフェース部から入力する必要があるものであり、また、上記問題を解決することについても考慮されたものではない。
【０００７】
本発明はこのような状況に鑑みてなされたものであり、異なる通信事業者システムに属する無線通信端末に対してであっても、また、発信先をオペレータが入力するといった手間を生じさせることなく、指定された条件を満足する無線通信端末に対して例えば緊急時などにおける同報送信を行うことができる半二重無線通信方法、プログラム、およびシステムを提供することを目的とする。
【課題を解決するための手段】
【０００８】
かかる目的を達成するために、本発明の第１の態様としての半二重無線通信方法は、現在状態の条件を満足する無線通信端末に対してデータの同報送信を行うように発信者端末からの申請を受ける申請受け付け工程と、複数の通信制御システムに対して、各通信制御システムに属して現在状態の条件を満足する無線通信端末に発信者端末からのデータの同報送信を行う送信工程とを備えたことを特徴とする。
【０００９】
上記した現在状態の条件は、各無線通信端末の位置条件であることが好ましい。
上記した送信工程では、各通信制御システムに属して現在状態の条件を満足する無線通信端末によるＣＵＧを形成し、該ＣＵＧに登録された無線通信端末に対して発信者端末からのデータを同報送信することが好ましい。
【００１０】
上記した送信工程では、予め登録されて通信可能な全ての通信制御システムから現在状態の条件を満足する無線通信端末を検索してＣＵＧを形成し、該ＣＵＧに登録された無線通信端末に対する同報送信が、発信者端末と異なる通信制御システムに属する無線通信端末に対しても半二重無線通信における発言権を当該発信者端末にまとめることが可能な緊急同報であることが好ましい。
同報送信する上記したデータには、音声、画像を含むことが好ましい。
【００１１】
また、本発明の第２の態様としての半二重無線通信プログラムは、コンピュータに、現在状態の条件を満足する無線通信端末に対してデータの同報送信を行うように発信者端末からの申請を受ける申請受け付け処理と、複数の通信制御システムに対して、各通信制御システムに属して現在状態の条件を満足する無線通信端末に発信者端末からのデータの同報送信を行う送信処理とを実行させることを特徴とする。
【００１２】
上記した現在状態の条件は、各無線通信端末の位置条件であることが好ましい。
上記した送信処理では、各通信制御システムに属して現在状態の条件を満足する無線通信端末によるＣＵＧを形成し、該ＣＵＧに登録された無線通信端末に対して発信者端末からのデータを同報送信することが好ましい。
【００１３】
上記した送信処理では、予め登録されて通信可能な全ての通信制御システムから現在状態の条件を満足する無線通信端末を検索してＣＵＧを形成し、該ＣＵＧに登録された無線通信端末に対する同報送信が、発信者端末と異なる通信制御システムに属する無線通信端末に対しても半二重無線通信における発言権を当該発信者端末にまとめることが可能な緊急同報であることが好ましい。
同報送信する上記したデータには、音声、画像を含むことが好ましい。
【００１４】
また、本発明の第３の態様としての半二重無線通信システムは、１の通信制御システムにおける半二重無線通信の制御を行う無線通信制御手段と、当該通信制御システムに属する無線通信端末の現在状態を取得する現在状態取得手段とを備えた通信制御システムが複数接続されてなる半二重無線通信システムであって、無線通信制御手段は、現在状態の条件を満足する無線通信端末に対して同報送信を行う申請を受けると、複数の通信制御システムの各現在状態取得手段が保有する各無線通信端末の現在状態に基づいて、指定された現在状態の条件を満足する無線通信端末に対してデータの同報送信を行うように制御することを特徴とする。
【００１５】
上記した現在状態の条件は、無線通信端末の位置条件であり、上記した現在状態取得手段は、位置情報取得手段として当該位置情報取得手段を含む通信制御システムに属する各無線通信端末の位置条件を取得することが好ましい。
【００１６】
上記した無線通信制御手段は、同報送信を行う申請を受けると、位置情報取得手段からの各無線通信端末の位置情報に基づいて指定された位置条件を満足する無線通信端末によるＣＵＧを形成し、該ＣＵＧに登録された無線通信端末に対して発信者端末からのデータを同報送信することが好ましい。
【００１７】
上記した無線通信制御手段は、同報送信を行う申請を受けると、予め登録されて通信可能な全ての通信制御システムにおける位置情報取得手段に対して検索要求を発信し、該全ての通信制御システムに属する無線通信端末の中から指定された位置条件に当てはまる無線通信端末を検索してＣＵＧを形成し、該ＣＵＧに登録された無線通信端末に対する同報送信が、発信者端末と異なる通信制御システムに属する無線通信端末に対しても半二重無線通信における発言権を当該発信者端末にまとめることが可能な緊急同報であることが好ましい。
同報送信する上記したデータには、音声、画像を含むことが好ましい。
【発明の効果】
【００１８】
以上のように、本発明によれば、異なる通信事業者システムに属する無線通信端末に対してであっても、また、発信先をオペレータが入力するといった手間を生じさせることなく、指定された条件を満足する無線通信端末に対して例えば緊急時などにおける同報送信を行うことができる。
【発明を実施するための最良の形態】
【００１９】
次に、本発明に係る半二重無線通信方法、プログラム、およびシステムを図面を用いて詳細に説明する。
本実施形態としての半二重無線通信システムは、通常使用時には各通信事業者システム（通信制御システム）内で良好な無線通話が可能であり、緊急同報を発する際には異なる通信事業者システムに属する無線通信端末に対しても発信することができる好適なものを例示している。
【００２０】
本発明の実施形態としての半二重無線通信システムは、図１に示すように、複数の通信事業者システム（Ａ，Ｂ，Ｃ，…）がネットワークを介して接続されて構成される。
各通信事業者システムは、無線通信制御手段２と、位置情報取得手段３とを備え、この無線通信制御手段２が、その通信事業者システムに属する無線通信端末１同士の間での半二重無線通信を制御している。
ここで、通信事業者システムに属する無線通信端末とは、その通信事業者システムに予め登録されていることで、その通信事業者システムにより半二重無線通信を行うことができるようになっている端末のことである。
【００２１】
各通信事業者システムにおける無線通信制御手段２は、その通信事業者システムに属する無線通信端末１と、他の通信事業者システムに属する無線通信端末１との間での通常の通信を受け付けないように構成されている。換言すれば、他の通信事業者システムに対して自身のシステムにおけるＣＵＧなどの顧客情報を見せないように構成されている。
このことにより、各通信事業者システム間における個人情報の漏洩防止が図られている。
こうして、１つの通信事業者システム内でそのシステムに属する無線通信端末が半二重無線通信を行うことができるように登録されることにより、その通信事業者システムに属する無線通信端末同士の間で半二重無線通信を行うことができるようになっている。
【００２２】
各通信事業者システムは、図２に示すように、無線通信制御手段２として、無線基地局２１（２１−１，２１−２，…）と、呼制御サーバ２２と、ＰｏＣ（Push to talk Over Cellular）サーバ２３と、ＣＵＧサーバ２４とを備え、位置情報取得手段３として、プレゼンスサーバ３を備えて構成される。
この呼制御サーバ２２とＰｏＣサーバ２３とが、ＣＵＧサーバ２４から送信されたＣＵＧの情報に基づいて半二重無線通信の制御を行い、また、他の通信事業者システムに接続されている。
また、各装置は記憶部内に不図示のプログラムを格納し、そのプログラムに基づいた制御によって動作する。
【００２３】
無線通信端末１は、図３に示すように、無線通信部１１と、制御部１２と、表示部１３と、記憶部１４と、操作部１５と、マイク（送話部）１６１と、スピーカ（受話部）１６２と、プレストークスイッチ１７と、無線通信部１１に接続されたアンテナ１１１とを備えて構成される。
【００２４】
無線通信部１１は、アンテナ１１１による無線通信に関わる信号処理などを行い、無線通信の制御を行う。
制御部１２は、無線通信端末１全体の制御を行う。
表示部１３は、無線通信を行うに当たって必要な各種情報を表示によりユーザに通知する。
記憶部１４は、設定されたＣＵＧにおける他の無線通信端末１を特定する情報や、ＣＵＧサーバ３のアドレスなど各種情報を格納する。
操作部１５は、表示部１３による表示モードの切り替えなど、ユーザが本無線通信端末１を操作するための各種入力を行うためのものである。
【００２５】
無線通信端末１は、半二重伝送方式により無線通信を行うため、ユーザがこの無線通信端末１からあらかじめ設定されたＣＵＧの他の無線通信端末１（通信相手）に対して音声を発信する場合、プレストークスイッチ１７を押下することで送話状態となり、マイク１６１が受信した音声がＣＵＧとして登録された他の無線通信端末１に対して発信される。
プレストークスイッチ１７が押下されていない受話状態では、ＣＵＧの他の無線通信端末１が音声を発信した場合、その音声を受信してスピーカ１６２により音声を発音する。
【００２６】
無線基地局２１（２１−１，２１−２，…）は、各無線通信端末１との間で半二重無線通信を行い、そのやりとりのデータを接続された呼制御サーバ２２との間で送受信する。
呼制御サーバ２２は、図４に示すように、ルータ部２２１と、呼制御部２２２と、パケットデュプリケータ部２２３と、記憶部２２４とを備える。このルータ部２２１が、各無線基地局２１および、他の通信事業者システムやインターネットなどのネットワークに接続される。
【００２７】
ＰｏＣサーバ２３は、図５に示すように、通信管理部２３１と、記憶部２３２とを備える。
この通信管理部２３１は、ＣＵＧサーバ２４からＣＵＧに含まれるユーザ情報を受けて、呼制御サーバ２２による半二重無線通信端末との通信を管理する。記憶部２３２は、通信管理部２３１が半二重無線通信の管理を行う際にＣＵＧサーバ２４から送信されたＣＵＧデータ（ＣＵＧに含まれるユーザ情報のテーブル）などを格納する。
【００２８】
呼制御サーバ２２とＰｏＣサーバ２３とが上述のように構成されることにより、ルータ部２２１により接続された各無線基地局２１との通信に対して、呼制御部２２２と通信管理部２３１とがＣＵＧサーバ２４による認証結果に基づいて接続の制御を行う。また、１つの無線通信端末１から発信されたデータをＣＵＧとして登録された他の無線通信端末全てに送信するため、パケットデュプリケータ部３１が発信されてきたデータのパケットを所要の数まで複製し、その複製されたパケットをルータ部３２が、送信先となる無線通信端末１が帰属する無線基地局２に対して送信する。
【００２９】
ＣＵＧサーバ２４は、無線通信端末１からの接続要求を受けた際に接続許可／不許可の認証を行うと共に、登録されたＣＵＧの情報を格納し、接続の認証を行った際にその無線通信端末１を含むＣＵＧの情報をＰｏＣサーバ２３に送信する。
【００３０】
プレゼンスサーバ３は、図６に示すように、通信部３１と、位置情報取得部３２と、記憶部３３とを備え、記憶部３３に現在状態テーブル３３ａを格納する。
位置情報取得部３２は、その位置情報取得部が含まれる通信事業者システムに属する無線通信端末１それぞれの現在位置情報を取得する。この位置情報の取得は、常時であっても、予め定められた時間毎であってもよい。
現在状態テーブル３３ａは、位置情報取得部３２により取得された各無線通信端末１の現在位置情報を含めた現在状態の情報を、その無線通信端末のユーザ名に関連付けて格納する。
【００３１】
なお、上述した現在状態は、位置情報取得部３２により所定の識別方法で識別されてもよく、他の各種の方法により取得されてもよい。
また、無線通信端末１の電源がＯＦＦになっていたり各無線基地局から遠い位置にいるなど、無線通信手段２がその無線通信端末１と交信できない場合には現在状態を取得することもできなくなるが、その場合には取得できている現在状態の内の最も新しい情報を現在状態テーブル３３ａが現在状態として保持することとしてよい。
【００３２】
次に、本実施形態としての半二重無線通信システムで緊急同報を行う際の動作について、図７、図８を参照して説明する。図７は、この緊急同報を行う際のＣＵＧ形成、登録動作について概念的に示す図であり、図８は、緊急同報の動作全体を示すシーケンスチャートである。
ここで、緊急同報とは、指定した条件を満足する無線通信端末１によるＣＵＧを緊急時などに形成し、そのＣＵＧに含まれる無線通信端末１に対して一斉同報（同報送信）を行うものであるが、本実施形態では、この緊急同報によるＣＵＧを異なる通信事業者システムに属している無線通信端末１も含めて形成する。
【００３３】
まず、緊急同報を発しようとする発信者が、自身の無線通信端末１からＣＵＧサーバ２４に対して緊急同報の申請を行う（ステップＳ１）。図７、図８の例では、この発信者の無線通信端末を符号１Ｘとして示している。
この緊急同報の申請の際、発信者は自身の無線通信端末１Ｘ（発信者端末）により緊急同報モードを選択し、図９に例示するような緊急同報発信モードの画面により、発信先とする無線通信端末１を絞り込むための位置条件を入力する。
【００３４】
ＣＵＧサーバ２４は、この緊急同報の申請を受けると、発信者により指定された位置条件に当てはまる無線通信端末１のデータの検索要求をプレゼンスサーバ３に発信し（ステップＳ２）、その位置条件に当てはまる無線通信端末１のデータを取得する（ステップＳ３）。
このステップＳ２からＳ３の動作として、ＣＵＧサーバ２４は、プレゼンスサーバ３の現在状態テーブル３３ａを検索し、その位置情報を基に申請された緊急同報の発信先となる無線通信端末１のユーザ情報をピックアップすると、ピックアップしたユーザ情報を基にしてＣＵＧを形成し、申請された緊急同報用のＣＵＧとして登録する。
【００３５】
図７に示す例では、現在状態テーブル３３ａが、ユーザ名に、場所（位置情報）と、回線の接続可否（ＯＮ  ＬＩＮＥ／ＯＦＦ  ＬＩＮＥ）と、ユーザの状態とを関連付けたものとして例示している。
関連付けられている各情報は、上述のように、無線通信端末が接続可能（ＯＮ  ＬＩＮＥ）である場合には常時または所定の時間毎に更新され、接続不能（ＯＦＦ  ＬＩＮＥ）である場合には、すでに取得できている最新の情報となっている。
【００３６】
また、このステップＳ２からＳ３の動作では、緊急同報の申請を受けたＣＵＧサーバ２４が、予め登録されて通信可能な全ての通信事業者システムにおけるプレゼンスサーバ３に対してデータの検索要求を発信し、全通信事業者システムに属する無線通信端末１の中から指定された位置条件に当てはまるものを検索する。
このことにより、異なる通信事業者システムに属する無線通信端末１も含めた緊急同報用のＣＵＧを形成することができ、指定された位置条件を満足するより多くの無線通信端末に対して緊急同報を発信することができる。
【００３７】
こうして申請された緊急同報用のＣＵＧが形成されると、ＣＵＧサーバ２４はそのＣＵＧデータをＰｏＣサーバ２３に送信する（ステップＳ４）。ＰｏＣサーバ２３と呼制御サーバ２２とは、申請者の無線通信端末１Ｘに対して、緊急同報としての発信可能状態となったことを通知する（ステップＳ５）。
通知を受けた無線通信端末１Ｘは、表示部１３に例えば図１０に示すような画面を表示し、発信者に緊急同報の発信可能状態となったことを通知する。
【００３８】
こうして緊急同報の発信可能状態となると、位置条件に当てはまることにより受信側とされた無線通信端末１Ｙ（１Ｙ−１，１Ｙ−２，…）は、ＯＮ  ＬＩＮＥである限り強制的に受信状態となり、発信者が無線通信端末１Ｘのプレストークスイッチ１７を押下している間、無線通信端末１Ｘからの音声データなどを受信することとなる（ステップＳ６）。
【００３９】
この受信時の動作について、以下に、発信者が警察署の担当者である場合を例として説明する。
各通信事業者システムに属する受信側とされた無線通信端末１Ｙは、ＯＮ  ＬＩＮＥである限り、発信者の情報に応じて、例えば図１１に示すような画面を表示部１３に表示し、発信者からの音声をスピーカ１６２から出力する。
換言すれば、半二重無線通信における発言権を、緊急同報を申請した無線通信端末１Ｘが強制的に得ることとなる。
【００４０】
また、発信者の無線通信端末１Ｘが緊急同報として画像データを送信する場合の一例を図１２に示す。この図１２に示す例では、受信側とされた無線通信端末１Ｙが、表示部１３に図１２（ａ）、（ｂ）の画面を数秒毎に交互に表示する。
こうした画像データにより緊急同報を行うことによれば、受信者側とされた無線通信端末１Ｙを保持するユーザが、スピーカによる音声出力の好ましくない環境にいる場合であっても、受信者側に突然の音声出力による負担をかけることなく緊急同報を行うことができる。
また、音声と画像データの両方を緊急同報として送信することとしてもよく、この場合にはよりわかりやすく情報を受信者側に伝達することができる。
【００４１】
このように、本実施形態としての半二重無線通信システムによれば、緊急時などに、発信者からの一斉同報（緊急同報）を、複数の通信事業者システムに対して、その通信事業者システムに属する無線通信端末１Ｙに受信させることができる。
また、この受信側となる無線通信端末１Ｙは特別な機能を要求されず、一般的な無線通信端末でよいため、予め登録されている全ての通信事業者システムにおける指定された条件を満足してＯＮ  ＬＩＮＥである全ての無線通信端末に対して、半二重無線通信としての発言権を発信者端末にまとめた同報送信（緊急同報）を行うことができる。
このため、例えば警察署や消防署などによる急を要する通知を、半二重無線通信システムにより行うことができる。
【００４２】
なお、上述した実施形態は、本発明の好適な実施形態であり、本発明の主旨を逸脱しない範囲内において、種々変形して実施することが可能である。
例えば、本発明としての各機能を実現することができれば各サーバの構成は上述したものに限定されず、例えば１つのサーバが他のサーバの機能を備えてもよい。
また、システムを構成するサーバも上述したものに限定されず、例えば１つのサーバが上述した実施形態における複数のサーバの機能を備えたり、上述した実施形態における１つのサーバの機能を複数の装置により実現することとしてもよい。
【００４３】
また、上述した実施形態における動作、画面表示は一例であり、本発明としての各機能を実現することができれば種々変形して実施してよい。
例えば、緊急同報の申請時における位置条件の指定を住所の番地により入力することとして説明しているが、範囲を指定することができればこの方法に限定されず、他の範囲指定方法であってもよい。
【００４４】
また、上述した実施形態では、緊急同報の申請時に発信者が位置条件を指定し、申請を受けたＣＵＧサーバ２４がその指定された位置条件に合うユーザを各通信事業者システムの現在状態テーブル３３ａからピックアップして緊急同報用のＣＵＧを形成することとして説明しているが、さらに回線状態がＯＮ  ＬＩＮＥであることをピックアップの条件に加えることとしてもよい。
このことによれば、現在その位置にいるユーザのみをより高精度にピックアップしてＣＵＧを形成し、緊急同報を行うことができる。
すなわち、無線通信端末がＯＦＦ  ＬＩＮＥ状態になっているためにプレゼンスサーバ３が位置情報を更新できないでいる間に、ユーザが位置を移動している可能性も考慮して、より高精度に現在その位置にいるユーザのみをピックアップして緊急同報を行うことができる。
【００４５】
また、緊急同報の申請時に発信者が指定する検索条件は、位置条件に限定されず、現在状態テーブル３３ａに格納された各無線通信端末の現在状態を示す情報であれば他の情報であってもよい。
この場合、上述したステップＳ２からＳ３の動作で、各通信事業者システムに対して、指定された現在状態を示す情報に該当するユーザ情報によりＣＵＧを形成し、そのＣＵＧに含まれる無線通信端末１Ｙに対して一斉同報としての半二重無線通信を行うようシステムの制御が行われることとなる。
【００４６】
また、上述した実施形態では、プログラムは、各装置の記憶部内に格納されることとして説明したが、コンピュータが読み取り可能な記録媒体であればその態様は限定されず、例えば、ＲＯＭ，ハードディスク，フロッピー（登録商標）ディスク，光ディスク，光磁気ディスク，ＣＤ−ＲＯＭ，ＣＤ−Ｒ，磁気テープ，不揮発性のメモリカード，ＥＥＰＲＯＭ等に格納されてもよい。
すなわち、本発明の各実施形態による上述した各機能が、上述した記録媒体から供給されるプログラムによって、コンピュータのＣＰＵなどが処理を行うことにより実現されてもよい。
そして、その場合、上述した記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
【００４７】
この本発明に係るプログラムによれば、当該プログラムによって制御されるコンピュータに、上述した本発明に係る各実施形態としての半二重無線通信システムにおける各機能を実現させることができる。
【図面の簡単な説明】
【００４８】
【図１】本発明の実施形態としての半二重無線通信システムと、各システムに属する無線通信端末１との概要を示すブロック図である。
【図２】１つの通信事業者システム周りの構成の概要を示すブロック図である。
【図３】無線通信端末１の構成の概要を示すブロック図である。
【図４】呼制御サーバ２２の構成の概要を示すブロック図である。
【図５】ＰｏＣサーバ２３の構成の概要を示すブロック図である。
【図６】プレゼンスサーバ３の構成の概要を示すブロック図である。
【図７】本実施形態としての半二重無線通信システムで緊急同報を行う際のＣＵＧ形成、登録動作について説明する図である。
【図８】該半二重無線通信システムで緊急同報を行う際の動作を示すシーケンスチャートである。
【図９】緊急同報発信モードを選択した際の画面表示例を示す図である。
【図１０】緊急同報の発信可能状態となった際の画面表示例を示す図である。
【図１１】緊急同報の受信状態となった際の画面表示例を示す図である。
【図１２】緊急同報を画像により受信する際の画面表示例を示す図である。
【符号の説明】
【００４９】
Ａ，Ｂ，Ｃ    通信事業者システム（通信制御システム）
１    無線通信端末
２    無線通信制御手段
２１    無線基地局
２２    呼制御サーバ
２３    ＰｏＣサーバ
２４    ＣＵＧサーバ
３    プレゼンスサーバ（位置情報取得手段）
３３ａ    現在状態テーブル
【図１】
2005217707.tif 000003
【図２】
2005217707.tif 000004
【図３】
2005217707.tif 000005
【図４】
2005217707.tif 000006
【図５】
2005217707.tif 000007
【図６】
2005217707.tif 000008
【図７】
2005217707.tif 000009
【図８】
2005217707.tif 000010
【図９】
2005217707.tif 000011
【図１０】
2005217707.tif 000012
【図１１】
2005217707.tif 000013
【図１２】
2005217707.tif 000014